(57)【要約】【課題】  撮像時に画像を分類することができ、かつ、イベントごとの画像の再生、鑑賞が容易な撮像装置及び撮像制御方法を提供する。【解決手段】  撮像装置１０の電源がオンされ、撮像装置１０の動作モードが撮像モードに設定されると、内蔵時計８２から現在の時刻が取得され（ステップＳ９０）、現在の時刻に対応するスケジュール情報が登録されているかどうか判定される（ステップＳ９２）。現在の時刻に対応するスケジュール情報が登録されていない場合には（ステップＳ９２のＮｏ）、外部メモリ１０２のルートフォルダが記録フォルダに設定される（ステップＳ９４）。一方、現在の時刻に対応するスケジュール情報が登録されている場合には（ステップＳ９２のＹｅｓ）、当該スケジュール情報に対応するフォルダが記録フォルダに設定される（ステップＳ９６）。【選択図】      図１２
2009077305.tif 000002
【特許請求の範囲】
【請求項１】
画像を撮像する撮像手段と、
前記撮像手段によって撮像された画像を記録する画像記録手段と、
スケジュール情報の入力を受け付けるスケジュール入力手段と、
前記スケジュール入力手段によって入力されたスケジュール情報を記録する記録手段と、
前記スケジュール情報と関連付けられたフォルダを前記画像記録手段内に作成するフォルダ作成手段と、
前記スケジュール情報に対応するスケジュールが進行中かどうかを判定する判定手段と、
前記スケジュールの進行中に撮像された画像の記録先のフォルダを、該スケジュール情報と関連付けられたフォルダに設定する記録制御手段と、
を備えることを特徴とする撮像装置。
【請求項２】
前記スケジュール情報入力手段は、予定の名称、予定の日時及び予定の場所のうちに少なくとも１つの情報を含むスケジュール情報の入力を受け付けることを特徴とする請求項１記載の撮像装置。
【請求項３】
前記スケジュールの進行中に、前記撮像手段によって画像を撮像するときの撮像条件を入力する撮像条件入力手段を更に備え、
前記記録手段は、前記スケジュール情報と前記撮像条件とを関連づけて記録することを特徴とする請求項１又は２記載の撮像装置。
【請求項４】
前記撮像条件設定手段は、画像のサイズ、画素数及び画質のうちの少なくとも１つの条件を設定することを特徴とする請求項３記載の撮像装置。
【請求項５】
前記判定手段によって前記スケジュール情報に対応するスケジュールが進行中であると判定された場合に、該スケジュール情報と関連付けられて記録された撮像条件の設定を行う撮像条件設定手段を更に備えることを特徴とする請求項３又は４記載の撮像装置。
【請求項６】
前記撮像条件設定手段は、前記判定手段によって前記スケジュール情報に対応するスケジュールが進行中であると判定された場合に、該スケジュール情報と関連付けられて記録された撮像条件の設定を行うとともに、該撮像条件の設定変更を禁止することを特徴とする請求項５記載の撮像装置。
【請求項７】
前記画像記録手段に記録された画像を、該画像と同じフォルダ内の画像とともに表示する表示手段を更に備えることを特徴とする請求項１から６のいずれか１項記載の撮像装置。
【請求項８】
前記画像が撮像された日時の順番に従って、前記表示手段に表示する画像のコマ送り又はコマ戻しの指示入力を受け付ける入力手段と、
前記コマ送りの指示が入力された場合に、前記表示手段に表示されている画像よりも古い画像の中で最新の画像が記録されたフォルダ内の画像を前記表示手段に表示する一方、前記コマ戻しの指示が入力された場合に、前記表示手段に表示されている画像よりも新しい画像の中で最古の画像が記録されたフォルダ内の画像を前記表示手段に表示する表示制御手段と、
を更に備えることを特徴とする請求項７記載の撮像装置。
【請求項９】
前記表示制御手段は、前記フォルダ内の画像を前記表示手段にスライドショウ表示することを特徴とする請求項７又は８記載の撮像装置。
【請求項１０】
画像を撮像する撮像手段によって撮像された画像を画像記録手段に記録する画像記録工程と、
スケジュール情報の入力を受け付けるスケジュール入力工程と、
前記スケジュール入力工程において入力されたスケジュール情報を記録する記録工程と、
前記スケジュール情報と関連付けられたフォルダを前記画像記録手段内に作成するフォルダ作成工程と、
前記スケジュール情報に対応するスケジュールが進行中かどうかを判定する判定工程と、
前記スケジュールの進行中に撮像された画像の記録先のフォルダを、該スケジュール情報と関連付けられたフォルダに設定する記録制御工程と、
を備えることを特徴とする撮像制御方法。
【請求項１１】
前記スケジュール情報入力工程では、予定の名称、予定の日時及び予定の場所のうちに少なくとも１つの情報を含むスケジュール情報の入力を受け付けることを特徴とする請求項１０記載の撮像制御方法。
【請求項１２】
前記スケジュールの進行中に、前記撮像手段によって画像を撮像するときの撮像条件を入力する撮像条件入力工程と、
前記スケジュール情報と前記撮像条件とを関連づけて記録する工程と、
を更に備えることを特徴とする請求項１０又は１１記載の撮像制御方法。
【請求項１３】
前記撮像条件設定工程では、画像のサイズ、画素数及び画質のうちの少なくとも１つの条件を設定することを特徴とする請求項１２記載の撮像制御方法。
【請求項１４】
前記判定工程において前記スケジュール情報に対応するスケジュールが進行中であると判定された場合に、該スケジュール情報と関連付けられて記録された撮像条件の設定を行う撮像条件設定工程を更に備えることを特徴とする請求項１２又は１３記載の撮像制御方法。
【請求項１５】
前記判定工程によって前記スケジュール情報に対応するスケジュールが進行中であると判定された場合に、該スケジュール情報と関連付けられて記録された撮像条件の設定を行うとともに、該撮像条件の設定変更を禁止する工程と更に備えることを特徴とする請求項１２又は１３記載の撮像制御方法。
【請求項１６】
前記画像記録手段に記録された画像を、該画像と同じフォルダ内の画像とともに表示手段に表示する表示工程を更に備えることを特徴とする請求項１０から１５のいずれか１項記載の撮像制御方法。
【請求項１７】
前記画像が撮像された日時の順番に従って、前記表示手段に表示する画像のコマ送り又はコマ戻しの指示入力を受け付ける入力工程と、
前記コマ送りの指示が入力された場合に、前記表示手段に表示されている画像よりも古い画像の中で最新の画像が記録されたフォルダ内の画像を前記表示手段に表示する一方、前記コマ戻しの指示が入力された場合に、前記表示手段に表示されている画像よりも新しい画像の中で最古の画像が記録されたフォルダ内の画像を前記表示手段に表示する表示制御工程と、
を更に備えることを特徴とする請求項１６記載の撮像制御方法。
【請求項１８】
前記フォルダ内の画像を前記表示手段にスライドショウ表示することを特徴とする請求項１６又は１７記載の撮像制御方法。
【発明の詳細な説明】
【技術分野】
【０００１】
本発明は撮像装置及び撮像制御方法に係り、特に画像ファイルの分類、管理に適した撮像装置及び撮像制御方法に関する。
【背景技術】
【０００２】
特許文献１には、予定時間と予定とを入力することが可能なスケジュール機能と、カメラ機能とを有し、上記予定時間に撮影を行った画像データが存在するときにスケジュールを表示する表示画面に印がつけられ、該印が操作されたときに該画像データが検索されることを特徴とする情報機器が開示されている。
【０００３】
特許文献２には、撮像時又は撮像後に画像に付された日時情報、場所情報又はイベント情報等の所定の条件に基づいて画像を仮想フォルダに分類する画像処理装置が開示されている。
【特許文献１】特開２００４−１７８６０７号公報
【特許文献２】特開２００７−５８７９２号公報
【発明の開示】
【発明が解決しようとする課題】
【０００４】
上記特許文献１に記載の技術では、メモリカード内の画像の数が膨大になると検索に時間を要し、所望の画像を高速に見つけ出すのが困難になるという問題がある。
【０００５】
また、上記特許文献２に記載の技術では、イベント情報に基づいて画像を分類するためには、撮像後に個別の画像にイベント情報を付与する必要がある。しかしながら、通常は、１日に複数のイベントが組まれることが多く、イベントや画像の数が膨大になると操作が面倒になるという問題がある。
【０００６】
本発明はこのような事情に鑑みてなされたもので、撮像時に画像を分類することができ、かつ、イベントごとの画像の再生、鑑賞が容易な撮像装置及び撮像制御方法を提供することを目的とする。
【課題を解決するための手段】
【０００７】
上記課題を解決するために、本発明の第１の態様に係る撮像装置は、画像を撮像する撮像手段と、前記撮像手段によって撮像された画像を記録する画像記録手段と、スケジュール情報の入力を受け付けるスケジュール入力手段と、前記スケジュール入力手段によって入力されたスケジュール情報を記録する記録手段と、前記スケジュール情報と関連付けられたフォルダを前記画像記録手段内に作成するフォルダ作成手段と、前記スケジュール情報に対応するスケジュールが進行中かどうかを判定する判定手段と、前記スケジュールの進行中に撮像された画像の記録先のフォルダを、該スケジュール情報と関連付けられたフォルダに設定する記録制御手段とを備えることを特徴とする。
【０００８】
上記第１の態様によれば、スケジュールの進行中に撮像された画像をスケジュール情報と関連付けられた記録フォルダに記録することができるので、スケジュール情報と画像の管理が容易になる。
【０００９】
本発明の第２の態様に係る撮像装置は、上記第１の態様において、前記スケジュール情報入力手段は、予定の名称、予定の日時及び予定の場所のうちに少なくとも１つの情報を含むスケジュール情報の入力を受け付けることを特徴とする。
【００１０】
本発明の第３の態様に係る撮像装置は、上記第１又は２の態様において、前記スケジュールの進行中に、前記撮像手段によって画像を撮像するときの撮像条件を入力する撮像条件入力手段を更に備え、前記記録手段は、前記スケジュール情報と前記撮像条件とを関連づけて記録することを特徴とする。
【００１１】
上記第３の態様によれば、スケジュールにふさわしい撮像条件設定を予め登録しておくことができる。
【００１２】
本発明の第４の態様に係る撮像装置は、上記第３の態様において、前記撮像条件設定手段は、画像のサイズ、画素数及び画質のうちの少なくとも１つの条件を設定することを特徴とする。
【００１３】
本発明の第５の態様に係る撮像装置は、上記第３又は４の態様において、前記判定手段によって前記スケジュール情報に対応するスケジュールが進行中であると判定された場合に、該スケジュール情報と関連付けられて記録された撮像条件の設定を行う撮像条件設定手段を更に備えることを特徴とする。
【００１４】
上記第５の態様によれば、スケジュールの進行中において、ユーザが予め設定した撮像条件の設定の下で画像を撮像することができるので、撮像条件の設定を忘れることを防止できる。
【００１５】
本発明の第６の態様に係る撮像装置は、上記第５の態様において、前記撮像条件設定手段は、前記判定手段によって前記スケジュール情報に対応するスケジュールが進行中であると判定された場合に、該スケジュール情報と関連付けられて記録された撮像条件の設定を行うとともに、該撮像条件の設定変更を禁止することを特徴とする。
【００１６】
上記第６の態様によれば、スケジュールの進行中に誤って撮像条件を変更してしまうのを防止することができる。
【００１７】
本発明の第７の態様に係る撮像装置は、上記第１から６の態様において、前記画像記録手段に記録された画像を、該画像と同じフォルダ内の画像とともに表示する表示手段を更に備えることを特徴とする。
【００１８】
上記第７の態様によれば、画像記録手段に記録された画像を、スケジュール単位でユーザの閲覧に供することができるので、画像の閲覧管理をより簡略化することができる。
【００１９】
本発明の第８の態様に係る撮像装置は、上記第７の態様において、前記画像が撮像された日時の順番に従って、前記表示手段に表示する画像のコマ送り又はコマ戻しの指示入力を受け付ける入力手段と、前記コマ送りの指示が入力された場合に、前記表示手段に表示されている画像よりも古い画像の中で最新の画像が記録されたフォルダ内の画像を前記表示手段に表示する一方、前記コマ戻しの指示が入力された場合に、前記表示手段に表示されている画像よりも新しい画像の中で最古の画像が記録されたフォルダ内の画像を前記表示手段に表示する表示制御手段とを更に備えることを特徴とする。
【００２０】
上記第８の態様によれば、フォルダ単位で表示画像の切り替えを行うことができるので、画像の閲覧管理をより簡略化することができる。
【００２１】
本発明の第９の態様に係る撮像装置は、上記第７又は８の態様において、前記表示制御手段は、前記フォルダ内の画像を前記表示手段にスライドショウ表示することを特徴とする。
【００２２】
上記第９の態様によれば、スケジュール単位で画像を閲覧する際の操作を簡略化することができ、画像の閲覧管理をより簡略化することができる。
【００２３】
本発明の第１０の態様に係る撮像制御方法は、画像を撮像する撮像手段によって撮像された画像を画像記録手段に記録する画像記録工程と、スケジュール情報の入力を受け付けるスケジュール入力工程と、前記スケジュール入力工程において入力されたスケジュール情報を記録する記録工程と、前記スケジュール情報と関連付けられたフォルダを前記画像記録手段内に作成するフォルダ作成工程と、前記スケジュール情報に対応するスケジュールが進行中かどうかを判定する判定工程と、前記スケジュールの進行中に撮像された画像の記録先のフォルダを、該スケジュール情報と関連付けられたフォルダに設定する記録制御工程とを備えることを特徴とする。
【００２４】
本発明の第１１の態様に係る撮像制御方法は、上記第１０の態様において、前記スケジュール情報入力工程では、予定の名称、予定の日時及び予定の場所のうちに少なくとも１つの情報を含むスケジュール情報の入力を受け付けることを特徴とする。
【００２５】
本発明の第１２の態様に係る撮像制御方法は、上記第１０又は１１の態様において、前記スケジュールの進行中に、前記撮像手段によって画像を撮像するときの撮像条件を入力する撮像条件入力工程と、前記スケジュール情報と前記撮像条件とを関連づけて記録する工程とを更に備えることを特徴とする。
【００２６】
本発明の第１３の態様に係る撮像制御方法は、上記第１２の態様において、前記撮像条件設定工程では、画像のサイズ、画素数及び画質のうちの少なくとも１つの条件を設定することを特徴とする。
【００２７】
本発明の第１４の態様に係る撮像制御方法は、上記第１２又は１３の態様において、前記判定工程において前記スケジュール情報に対応するスケジュールが進行中であると判定された場合に、該スケジュール情報と関連付けられて記録された撮像条件の設定を行う撮像条件設定工程を更に備えることを特徴とする。
【００２８】
本発明の第１５の態様に係る撮像制御方法は、上記第１２又は１３の態様において、前記判定工程によって前記スケジュール情報に対応するスケジュールが進行中であると判定された場合に、該スケジュール情報と関連付けられて記録された撮像条件の設定を行うとともに、該撮像条件の設定変更を禁止する工程と更に備えることを特徴とする。
【００２９】
本発明の第１６の態様に係る撮像制御方法は、上記第１０から１５の態様において、前記画像記録手段に記録された画像を、該画像と同じフォルダ内の画像とともに表示手段に表示する表示工程を更に備えることを特徴とする。
【００３０】
本発明の第１７の態様に係る撮像制御方法は、上記第１６の態様において、前記画像が撮像された日時の順番に従って、前記表示手段に表示する画像のコマ送り又はコマ戻しの指示入力を受け付ける入力工程と、前記コマ送りの指示が入力された場合に、前記表示手段に表示されている画像よりも古い画像の中で最新の画像が記録されたフォルダ内の画像を前記表示手段に表示する一方、前記コマ戻しの指示が入力された場合に、前記表示手段に表示されている画像よりも新しい画像の中で最古の画像が記録されたフォルダ内の画像を前記表示手段に表示する表示制御工程とを更に備えることを特徴とする。
【００３１】
本発明の第１８の態様に係る撮像制御方法は、上記第１６又は１７の態様において、前記フォルダ内の画像を前記表示手段にスライドショウ表示することを特徴とする。
【発明の効果】
【００３２】
本発明によれば、スケジュールの進行中に撮像された画像をスケジュール情報と関連付けられた記録フォルダに記録することができるので、スケジュール情報と画像の管理が容易になる。また、本発明によれば、画像記録手段に記録された画像を、スケジュール単位でユーザの閲覧に供することができるので、画像の閲覧管理をより簡略化することができる。
【発明を実施するための最良の形態】
【００３３】
以下、添付図面に従って本発明に係る撮像装置及び撮像制御方法の好ましい実施の形態について説明する。
【００３４】
［撮像装置の構成］
図１は、本発明の一実施形態に係る撮像装置を示す外観図（上面図、背面図、側面図及び正面図）である。撮像装置１０は、静止画及び動画の記録、再生機能を備えた電子カメラである。図１に示すように、撮像装置１０の上面には、電源スイッチ１２及びレリーズスイッチ１４が設けられている。撮像装置１０の背面には、ファインダ１６、動作モード切替スイッチ１８、ズームスイッチ２０、モニタ２２、マルチ画面表示ボタン２４、メニューボタン２６、表示ボタン２８、マルチファンクションスイッチ３０及び削除ボタン３２が設けられている。撮像装置１０の正面には、フラッシュ発光部３４、ファインダ窓３６及びレンズ３８が設けられている。
【００３５】
電源スイッチ１２は、撮像装置１０の電源のオン・オフを切り替えるための操作手段である。
【００３６】
レリーズスイッチ１４は、撮像開始の指示を入力するための操作手段であり、半押し時にオンするＳ１スイッチと、全押し時にオンするＳ２スイッチとを有する２段ストローク式のスイッチで構成されている。撮像装置１０は、レリーズスイッチ１４の半押し（Ｓ１オン）の状態で自動焦点調節（ＡＦ処理）及び自動露出制御（ＡＥ処理）を実行し、半押しから更に押し込む全押し（Ｓ２オン）の状態で撮像を実行する。
【００３７】
動作モード切替スイッチ１８は、画像を撮像するための撮像モードと、画像を再生表示するための再生モードとの間で、撮像装置１０の動作モードを切り替えるための操作手段である。図１に示す例では、動作モード切替スイッチ１８は、スライド式のスイッチである。
【００３８】
ズームスイッチ２０（ワイド（Ｗ）スイッチ及びテレ（Ｔ）スイッチ）は、ズーム位置の設定を行うためのスイッチである。
【００３９】
モニタ２２は、カラー表示可能な液晶ディスプレイ（ＬＣＤ）で構成される。なお、モニタ２２としては、液晶ディスプレイのほか、有機ＥＬ（electro-luminescence）等の他の方式の表示装置を用いることも可能である。モニタ２２は、撮像モード時には、ライブビュー画像（スルー画）を表示し、画角確認用の電子ファインダとして使用されるとともに、再生モード時には、撮像した画像、及び撮像装置１０に装着された外部メモリ（図２の符号１０２）から読み出した再生画像等を表示する。また、各種メニューの選択や各メニューにおける各種設定項目の設定もモニタ２２の表示画面を用いて行われる。更に、モニタ２２には、撮像可能コマ数（動画については撮像可能時間）、再生コマ番号の表示、フラッシュ発光のオン・オフ、マクロモードのオン・オフ、記録画質（クオリティー）表示、画素数表示等の情報も表示される。
【００４０】
マルチ画面表示ボタン２４は、モニタ２２の画面上にマルチ画面表示の指示を入力するための操作手段である。
【００４１】
メニューボタン２６は、モニタ２２の画面上にメニューを表示させる指示を入力するための操作手段である。
【００４２】
表示ボタン（ＤＩＳＰボタン）２８は、モニタ２２における表示を切り替えるためのボタンである。撮像モード時には、表示ボタン２８が押下されるごとに、撮像条件等を示すアイコン表示又はＯＳＤ表示の有無、及びフレーミングガイド表示の有無が切り替わる。また、再生モード時には、表示ボタン２８が押下されるごとに、撮像条件等を示すアイコン表示又はＯＳＤ表示の有無が切り替わる。
【００４３】
マルチファンクションスイッチ３０は、十字キー３０Ａ及び決定ボタン３０Ｂを含んでいる。十字キー３０Ａは、上下左右の４方向の指示を入力可能な多機能操作部であり、メニューボタン２６の押下に応じてモニタ２２に表示されるメニュー画面からメニュー項目を選択したり、各メニューにおける各種設定項目の選択を指示する操作ボタンとして機能する。十字キー３０Ａによるメニュー項目等の選択は、中央の決定ボタン３０Ｂの押下によって確定される。また、十字キー３０Ａの上のボタンは、撮像モード時にフラッシュ発光のオン・オフを切り替えるためのボタンとして機能する。また、十字キー３０Ａの下のボタンは、撮像モード時にマクロ機能（接写機能）のオン・オフを切り替えるためのボタンとして機能する。また、十字キー３０Ａの左右のボタンは、それぞれ再生モード時に１コマ逆送りボタン、１コマ順送りボタンとして機能する。
【００４４】
削除ボタン３２は、再生モード時において、モニタ２２に再生表示中の画像を削除する指示を入力するための操作手段である。
【００４５】
図２は、本発明の一実施形態に係る撮像装置の内部構成を示すブロック図である。中央処理装置（ＣＰＵ）５０は、バス５２を介して撮像装置１０の各部と接続されており、所定のプログラムに従って撮像装置１０全体の動作を制御するとともに、自動露出（ＡＥ）演算、自動焦点調節（ＡＦ）演算、ホワイトバランス（ＷＢ）調整演算等の各種演算を実行する。内蔵時計８２は、日時及び時刻を計測する。電池１２４は、例えば、２次電池であり、撮像装置１０の各部に動作電力を供給する。電池残量検出部１２６は、電池１２４の残量を検出する。電池残量検出部１２６によって検出された電池残量は、モニタ２２に表示される。
【００４６】
操作部５４は、図１に示した電源スイッチ１２、レリーズスイッチ１４、動作モード切替スイッチ１８、ズームスイッチ２０、マルチ画面表示ボタン２４、メニューボタン２６、表示ボタン２８、マルチファンクションスイッチ３０及び削除ボタン３２を含む各種の操作手段を含んでおり、ユーザからの操作に応じた信号をＣＰＵ５０に入力する。ＣＰＵ５０は、操作部５４からの入力信号に基づいて撮像装置１０の各回路を制御し、例えば、レンズ駆動制御、撮像動作制御、画像処理制御、画像の記録制御、再生制御、モニタ２２の表示制御等を行う。
【００４７】
スピーカ１１２は、音声を出力するための装置であり、撮像装置１０の各種動作音及び外部メモリ１０２に記録された音声信号を再生出力する。マイク１１４は、音声を入力するための装置であり、例えば、動画撮像時における音声及びボイスメモの録音に用いられる。オーディオ入出力回路１１０は、ＣＰＵ５０からの制御信号に従って、スピーカ１１２に出力される音声信号及びマイク１１４から入力された音声信号に対して所定の信号処理を施す。
【００４８】
撮像装置１０は、パーソナルコンピュータその他の外部機器と接続するための通信手段として通信インターフェース部（通信Ｉ／Ｆ）１０４を備えている。撮像装置１０は、通信Ｉ／Ｆ１０４を介して外部機器１０６と接続されると、外部機器１０６との間でデータの送受信が可能となる。なお、撮像装置１０と外部機器１０６との間の通信方式としては、例えば、ＵＳＢ、IEEE1394やBluetooth（登録商標）等を採用することができる。
【００４９】
次に、撮像装置１０の撮像機能について説明する。モード切替スイッチ１８によって撮像装置１０の動作モードが撮像モードに切り替えられると、画像の撮像可能な状態になる。
【００５０】
光学系５６（図１のレンズ３８を含む）は、ズームレンズ、フォーカスレンズ及び絞りを含んでいる。ＣＰＵ５０は、ズームスイッチ２０がユーザによって操作されたことを検出すると、ズーミングの向き（テレ側又はワイド側）及びズームレンズの移動目標位置（ズーム目標位置）を算出する。そして、ＣＰＵ５０は、ズームモータ７２に制御信号を出力してズームカム７０を駆動し、ズームレンズをズーム目標位置に移動させる。ズームレンズの位置情報は、図示せぬセンサによって検出され、ズームエンコーダ７６によってエンコードされてＣＰＵ５０に送信される。また、ＣＰＵ５０は、ＡＦモータドライバ８０に制御信号を出力してＡＦ用モータを駆動し、フォーカスレンズを移動させる。フォーカスレンズの位置情報は、図示せぬセンサによって検出され、フォーカスエンコーダ７４によってエンコードされてＣＰＵ５０に送信される。また、ＣＰＵ１８は、アイリスモータドライバ７８に制御信号を出力して、アイリスモータを駆動して絞り値の制御を行う。
【００５１】
光学系５６を通過した光は、撮像素子５８（以下、ＣＣＤ５８という）の受光面に結像される。なお、本実施形態では、撮像素子としてＣＣＤを用いたが、他の形式の撮像素子（例えば、ＣＭＯＳ）を用いてもよい。
【００５２】
ＣＣＤ５８の受光面には多数の受光素子（フォトダイオード）が２次元的に配列されており、ＣＣＤ５８の受光面に結像された被写体像は、各受光素子によって入射光量に応じた量の信号電荷に変換される。各受光素子には、３原色（Ｒ、Ｇ、Ｂ）のカラーフィルタが配置されている。各受光素子に蓄積された信号電荷は、ＣＰＵ５０の指令に従って信号電荷に応じたアナログ画像信号（Ｒ、Ｇ、Ｂ信号）として順次読み出される。
【００５３】
ＣＣＤ５８から読み出されたアナログ画像信号は、ＣＤＳアナログデコーダ６０によってサンプリングホールド（相関２重サンプリング処理）が行われてノイズ成分がキャンセルされた後、ホワイトバランスアンプ６２によってホワイトバランスレベルが調整される。ＣＰＵ５０は、ＣＣＤ５８の各分割エリアから取得したアナログ画像信号の色ごとの平均積算値を算出し、この色ごとの平均積算値に基づいて撮像環境の光源種の判別を行う。そして、ＣＰＵ５０は、この光源種に応じて電子ボリューム（ＥＶＲ）８４を制御してホワイトバランスアンプ６２におけるゲインを制御する。
【００５４】
ホワイトバランスアンプ６２から出力されたアナログ画像信号は、ガンマ補正処理部６４に入力されてガンマ補正が施された後、点順次化回路６６によって点順次化（単板ＣＣＤのカラーフィルタ配列に伴う色信号の空間的なズレを補間して色信号を同時式に変換する処理）処理が施される。点順次化回路６６から出力された点順次のアナログ画像信号は、Ａ／Ｄ変換器６８によってデジタル画像信号に変換され、メモリコントローラ８６を介してメインメモリ８８に格納される。
【００５５】
メインメモリ８８に格納されたデジタル画像信号は、ＹＣ信号作成部９４によって輝度信号（Ｙ信号）及び色差信号（Ｃｒ信号及びＣｂ信号）に変換される。
【００５６】
ライブビュー画像（スルー画）をモニタ２２に出力する場合、ＣＣＤ５８から出力されたアナログ画像信号は、ＣＤＳアナログデコーダ６０、ホワイトバランスアンプ６２及びガンマ補正処理部６４において所定の処理が施され、ＹＣ信号作成部９４によって輝度信号及び色差信号に変換された後、モニタドライバ（ＬＣＤドライバ）１０８に入力される。ＬＣＤドライバ１０８は、ＣＰＵ５０からの制御信号に従ってモニタ２２を制御するとともに、ＹＣ信号作成部９４から入力された輝度信号及び色差信号をＬＣＤ出力用のビデオ信号に変換してモニタ２２に出力する。
【００５７】
レリーズスイッチ１４が半押しされると（Ｓ１オン）、ＡＥ処理及びＡＦ処理が開始される。ＡＥ処理において、ＣＰＵ５０は、分割測光により検出した被写体輝度から露出値（撮像ＥＶ値）を算出し、この露出値と所定のプログラム線図に従って、絞り値及びシャッタスピードを決定する。また、ＣＰＵ５０は、オートモードの場合に、フラッシュ発光のオン・オフを設定する。また、ＡＦ処理において、ＣＰＵ５０は、例えば、画像信号のＧ信号の高周波成分が極大になるようにフォーカスレンズを移動させる。
【００５８】
レリーズスイッチ１４が半押しされ（Ｓ１オン）、ＡＥ処理及びＡＦ処理が行われた後、レリーズスイッチ１４が全押しされると（Ｓ２オン）、記録用の撮像動作がスタートする。Ｓ２オンにより撮像された画像信号は、ＹＣ信号作成部９４によって輝度信号及び色差信号に変換される。この輝度信号及び色差信号は、圧縮伸張処理部９０によって圧縮された後、外部メモリ１０２に記録される。例えば、静止画については、ＪＰＥＧ形式の画像ファイルとして記録される。また、動画については、ＹＣ信号作成部９４によって作成された輝度信号及び色差信号と、マイク１１４によって録音された音声信号とが同期してＭＰＥＧエンコーダ＆デコーダ９２に入力され、ＭＰＥＧ圧縮符号化されてＭＰＥＧ形式の画像ファイルとして記録される。
【００５９】
外部メモリ１０２は、撮像装置１０に着脱自在な記録媒体であり、例えば、ｘＤピクチャカード（登録商標）、スマートメディア（登録商標）に代表される半導体メモリカード、可搬型小型ハードディスク、磁気ディスク、光ディスク、光磁気ディスク等、種々の媒体を用いることができる。外部メモリインターフェース部（外部メモリＩ／Ｆ）１００は、外部メモリ１０２との間で送受信される画像信号に対して所定の信号変換を行う。
【００６０】
モード切替スイッチ１８によって撮像装置１０の動作モードが再生モードに切り替えられると、外部メモリ１０２に記録されている画像ファイルの圧縮データが読み出される。この画像ファイルが静止画ファイルの場合、外部メモリ１０２から読み出された圧縮データは、圧縮伸張処理部９０によって非圧縮のＹＣ信号に伸張された後、モニタ２２に出力されて表示される。また、この画像ファイルが動画ファイルの場合、外部メモリ１０２から読み出された圧縮データは、ＭＰＥＧエンコーダ＆デコーダ９２によってデコードされた後、モニタ２２に出力されて表示される。
【００６１】
画像の再生中（動画の先頭フレーム再生中も含む）に、十字キー３０Ａの右ボタン又は左ボタンが操作されると、再生対象の画像ファイルの切り替え（順コマ送り／逆コマ送り）が行われ、コマ送りされた位置の画像ファイルが外部メモリ１０２から読み出されてモニタ２２に再生表示される。
【００６２】
撮像装置１０によって撮像して得られた画像信号を外部表示装置に映像出力する場合、ＣＣＤ５８から出力されたアナログ画像信号は、ＣＤＳアナログデコーダ６０、ホワイトバランスアンプ６２及びガンマ補正処理部６４において所定の処理が施された後、ＹＣ信号作成部９４に入力される。ＹＣ信号作成部９４によって作成された輝度信号及び色差信号は、色変換部９６によって輝度信号と色差信号の比が４：４：４から４：２：２になるように変換された後、ＮＴＳＣエンコーダ９８によってＮＴＳＣ方式の映像信号に変換されて外部表示装置に出力される。また、外部メモリ１０２に記録された画像ファイルを外部表示装置に映像出力する場合、外部メモリ１０２から読み出された画像ファイルは、圧縮伸張処理部９０又はＭＰＥＧエンコーダ＆デコーダ９２によって非圧縮の輝度信号及び色差信号に変換され、色変換部９６によって輝度信号（Ｙ信号）と色差信号（Ｃｒ信号とＣｂ信号）の比が４：４：４から４：２：２になるように変換された後、ＮＴＳＣエンコーダ９８によってＮＴＳＣ方式の映像信号に変換されて外部表示装置に出力される。
【００６３】
なお、上記の圧縮伸張処理部９０、ＭＰＥＧエンコーダ＆デコーダ９２、ＹＣ信号作成部９４、色変換部９６及びＮＴＳＣエンコーダ９８は、それぞれ専用の回路により構成されていてもよいし、専用の回路を設けずにＤＳＰのような信号処理回路を設けて上記の各部の機能を実現するようにしてもよい。また、上記各部の機能をＣＰＵ５０におけるソフトウェア処理により実現してもよい。
【００６４】
［撮像装置１０のスケジュール管理機能］
次に、撮像装置１０におけるスケジュール管理機能について説明する。撮像装置１０は、スケジュール入力部１１６、自然放電情報データベース（自然放電情報ＤＢ）１２０及び残量−撮像可能枚数変換テーブル１２２を備えている。
【００６５】
スケジュール入力部１１６は、ユーザからのスケジュール情報の入力操作を受け付ける操作手段である。スケジュール入力部１１６から入力されたスケジュール情報は、外部メモリ１０２に保存される。ここで、スケジュール情報とは、例えば、予定内容、場所、予定日時である。なお、スケジュール情報は、スケジュール管理機能を有する外部機器から取得するようにしてもよい。また、スケジュール情報は、外部メモリ１０２ではなく、撮像装置１０の内蔵メモリに保存されるようにしてもよい。
【００６６】
自然放電情報ＤＢ１２０には、電池１２４の保存特性データが格納されている。ここで、電池１２４の保存特性データとは、自然放電による電池１２４の残量の経時変化を示すデータである。
【００６７】
残量−撮像可能枚数変換テーブル１２２には、電池１２４の残量と、電池１２４の残量不足のために撮像装置１０が撮像可能になるまでの撮像可能枚数との関係を示すデータが格納されている。ＣＰＵ５０は、電池残量検出部１２６によって電池１２４の電池残量を検出し、残量−撮像可能枚数変換テーブル１２２を参照して撮像可能枚数を算出する。
【００６８】
また、ＣＰＵ５０は、外部メモリ１０２にスケジュール情報が記録されていることを検出した場合に、その予定日時情報を取得する。そして、ＣＰＵ５０は、電池残量検出部１２６によって電池１２４の電池残量を検出し、自然放電情報ＤＢ１２０までの自然放電を考慮して上記予定日時における電池残量を算出（推定）する。また、ＣＰＵ５０は、残量−撮像可能枚数変換テーブル１２２を参照して、予定日時における電池残量から撮像可能枚数を算出する。
【００６９】
図３は、スケジュール情報を入力するためのスケジュール入力画面を示し、図４は、スケジュール情報の表示画面を示している。スケジュール入力部１１６からの操作が検出されると、図３に示すスケジュール入力画面がモニタ２２に表示される。スケジュール入力画面では、スケジュール入力部１１６からの入力に応じて、予定日時（予定の開始時刻及び終了時刻、予定の場所までの移動に要する移動時間）、予定内容（予定の名称）、場所の情報を含むスケジュール情報が入力される。なお、移動開始時刻及び移動終了時刻は、予定の開始時刻及び終了時刻、移動時間からＣＰＵ５０により算出される。
【００７０】
また、スケジュール入力画面では、分類（例えば、社内、外出のようなスケジュールの属性を示す情報）、及び付加機能（アラームの鳴動日時の設定、スケジュール情報の閲覧にユーザ認証を必要とするシークレットの設定）が設定可能になっている。
【００７１】
更に、スケジュール入力画面では、当該予定の日時における撮像装置１０の撮像画素数（例えば、３０００×２０００ピクセル）及び設定画質（画像ファイルの圧縮率を示す情報、例えば、ＦＩＮＥ又はＮＯＲＭＡＬ）を含む撮像条件が設定可能になっている。この撮像条件の設定内容は、スケジュール情報と関連付けられて又はスケジュール情報の一部として外部メモリ１０２に保存される。ＣＰＵ５０は、予定の日時になると、撮像装置１０の撮像条件をスケジュール入力画面において設定された撮像条件に設定し、ロックする。スケジュール入力画面にスケジュール情報が入力され、十字キー３０Ａにより図３のＯＫボタンが選択されて決定ボタン３０Ｂの押下が検出されると、スケジュール情報が外部メモリ１０２に保存されて登録される。外部メモリ１０２に保存されたスケジュール情報は、図４に示すような予定閲覧画面で閲覧可能になっている。図４の予定閲覧画面では、マルチファンクションスイッチ３０により日付及びスケジュール情報を選択することにより、スケジュール情報の閲覧、編集及びスケジュール情報と関連付けられた画像の閲覧が可能になっている。
【００７２】
図５は、スケジュール情報の登録時における撮像装置１０の処理を示すフローチャートである。まず、スケジュール入力部１１６により、予定の名称、日時及び場所が入力される（ステップＳ１０からＳ１４）。そして、スケジュール情報が登録されると、当該スケジュール情報に対応するフォルダが作成される（ステップＳ１６）。ステップＳ１６において作成されるフォルダの名称は、スケジュール情報の各項目の入力内容（例えば、予定の名称、日時又は場所）のうちの少なくとも１つを組み合わせが設定される。フォルダ作成時に使用するスケジュール情報の項目の種類及び組み合わせは、予め設定しておくことが可能である。例えば、予定の名称が「運動会」、予定日時が「2010年10月10日9:00〜15:00」、場所が「AA市立BB小学校」の場合には、図６に示すように、フォルダ名が「2010_10_10運動会AA市立BB小学校」のフォルダが作成される。また、例えば、予定の名称が「長崎取材」、予定日時が「2012年7月1日8:00〜17:00」、場所が「軍艦島」の場合には、フォルダ名が「長崎取材2012_7_1軍艦島」に設定され、予定の名称が「Ｄ社工程監査」、予定日時が「2011年4月15日9:00〜15:00」、場所が「宮城県仙台市」の場合には、フォルダ名が「2011_4_15Ｄ社工程監査」に設定される。
【００７３】
次に、ステップＳ１６において登録されたスケジュール情報と作成されたフォルダとが関連付けられるとともに（ステップＳ１８）、スケジュール情報、及びスケジュール情報とフォルダが外部メモリ１０２に記録される（ステップＳ２０、Ｓ２２）。
【００７４】
図７は、アラームの設定鳴動時間における撮像装置１０の処理を示すフローチャートである。アラームの設定鳴動時間になった場合には（ステップＳ３０のＹｅｓ）、撮像装置１０の電源が自動的にオンになり、予定の名称、日時及び場所がモニタ２２に表示され（ステップＳ３２からＳ３６）、スピーカ１１２からアラーム音（音量小）が出力される（ステップＳ３８）。
【００７５】
次に、電池残量検出部１２６によって電池１２４の残量が検出される（ステップＳ４０）。自然放電情報ＤＢ１２０内の電池１２４の保存特性データに基づいて、予定日時における電池残量を算出（推定）する（ステップＳ４２）。そして、残量−撮像可能枚数変換テーブル１２２内の電池残量と撮像可能枚数の関係を示すデータに基づいて、予定日時における撮像可能枚数が算出され（ステップＳ４４）、モニタ２２に表示される（ステップＳ４６）。
【００７６】
次に、現在電池１２４が満充電の状態であるかが判定され（ステップＳ４８）、満充電でなければ（ステップＳ４８のＮｏ）、警告メッセージ（例えば、「電池残量が少なくなっています。念のため、電池を充電してください。」）がモニタ２２に表示されて（ステップＳ５０）、スピーカ１１２からアラーム音（音量大）が出力される（ステップＳ５２）。
【００７７】
本実施形態では、図７の処理が撮像装置１０の電源オン時又は電源オフ時に実行されるようにすることにより、予定日時において撮像に必要な電池残量が維持されるように警告を出すことができる。なお、予定日時における電池残量の推定値又は撮像可能枚数の推定値が所定値以下の場合に、警告メッセージ又はアラーム音が出力されるようにしてもよい。
【００７８】
図８は、移動開始時刻における撮像装置１０の処理を示すフローチャートである。移動開始時刻になった場合には（ステップＳ６０のＹｅｓ）、撮像装置１０の電源が自動的にオンになり、モニタ２２に警告表示が表示される（ステップＳ６２）。そして、予定内容及び移動開始時刻になったことを示すメッセージが表示される（ステップＳ６４、Ｓ６６）。
【００７９】
図９は、移動開始時刻におけるモニタ２２の表示を示している。図９に示すように、移動開始時刻になると、警告表示アイコンＩ１２、予定内容及び予定内容及び移動開始時刻になったことを示すメッセージＭ１４がモニタ２２の中段の左側に表示され手いる。なお、図９の符号Ｉ１０は、電池残量を示すアイコンであり、符号Ｍ１０は撮像条件の設定、符号Ｍ１２は現在の時刻を示している。
【００８０】
図１０は、予定日時になった場合の撮像装置１０の処理を示すフローチャートである。また、図１１は、予定日時におけるモニタ２２の表示を示している。予定日時（開始時刻）になった場合には（ステップＳ７０のＹｅｓ）、当該スケジュール情報と関連付けられたフォルダ（即ち、スケジュール情報（予定内容等）がフォルダ名に設定されているフォルダ）が撮像画像の記録先のフォルダ（以下、記録フォルダ）に設定され、以後、予定の終了時刻までに撮像された画像はすべて記録フォルダに記録されるように設定される（ステップＳ７２）。この記録フォルダ名は、モニタ２２（図１１の左上の符号Ｍ１６）に表示される（ステップＳ７４）。
【００８１】
次に、スケジュール情報と関連付けられて保存された撮像条件の設定に従って画素数及び設定画質を含む撮像条件が設定される（ステップＳ７６、Ｓ７８）。そして、撮像条件の設定がロックされて、手動でロックを解除しない限り撮像条件の設定変更が不可能になる（ステップＳ８０）。この撮像条件の設定は、ロックされていることを示す錠前型のアイコンＩ１４とともにモニタ２２（図１１の右上の符号Ｍ１０’）に表示される。
【００８２】
予定の終了時刻になると（ステップＳ８２のＹｅｓ）、外部メモリ１０２のルートフォルダ（外部メモリ１０２内の最上層のフォルダ）が記録フォルダに設定される（ステップＳ８４）。そして、撮像条件設定のロックが解除されて撮像条件の設定が可能になる（ステップＳ８６）。
【００８３】
なお、上記記録フォルダ及び撮像条件のロックの設定は、予定の終了時刻前に撮像装置１０の電源がオフされた場合にも保存され、予定終了時刻以降の電源オン時にリセットされる（スケジュール情報に応じた撮像条件の変更前の状態又はデフォルトの状態に戻す）ようにしてもよい。
【００８４】
［撮像モード］
図１２は、画像の撮像時における撮像装置１０の処理を示すフローチャートである。撮像装置１０の電源がオンされ、撮像装置１０の動作モードが撮像モードに設定されると、内蔵時計８２から現在の時刻が取得され（ステップＳ９０）、現在の時刻に対応するスケジュール情報が登録されているかどうか判定される（ステップＳ９２）。現在の時刻に対応するスケジュール情報が登録されていない場合には（ステップＳ９２のＮｏ）、外部メモリ１０２のルートフォルダが記録フォルダに設定される（ステップＳ９４）。一方、現在の時刻に対応するスケジュール情報が登録されている場合には（ステップＳ９２のＹｅｓ）、当該スケジュール情報に対応するフォルダが記録フォルダに設定される（ステップＳ９６）。
【００８５】
次に、レリーズスイッチ１４が押下され（Ｓ２オン）、撮像指示が入力されると（ステップＳ９８のＹｅｓ）、画像が撮像（ステップＳ１００）、記録される（ステップＳ１０２）。そして、電源スイッチ１２が押下され、撮像装置１０の電源がオフになるまで（ステップＳ１０４のＹｅｓ）、上記ステップＳ９０からＳ１０２の処理が繰り返される。
【００８６】
本実施形態によれば、予定日時に撮像された画像をスケジュール情報と関連付けられた記録フォルダに記録することができるので、スケジュール情報と画像の管理が容易になる。また、記録フォルダ名にスケジュール情報に従って設定することにより、外部機器１０６に画像を転送した際にも画像の管理が容易になる。更に、本実施形態では、予定日時に撮像された画像を、ユーザが予め設定した撮像条件の設定の下で撮像することができるので、撮像条件の設定を忘れることを防止できる。
【００８７】
なお、本実施形態では、撮影時に進行中のスケジュール情報に応じて記録先のフォルダを変更するようにしたが、例えば、スケジュール情報に応じて画像ファイル名を設定するようにしてもよいし、スケジュール情報と画像との関連づけをメタデータとして保存するようにしてもよい。
【００８８】
［再生モード］
次に、撮像装置１０において画像を再生する処理について説明する。図１３は、画像の再生時における撮像装置１０の処理を示すフローチャートである。撮像装置１０の動作モードが再生モードに設定されると、外部メモリ１０２内に画像ファイルが記録されているかどうか判定される（ステップＳ１１０）。外部メモリ１０２内に画像ファイルが記録されていない場合には（ステップＳ１１０のＮｏ）、画像がない旨を示すメッセージ（例えば、「画像がありません」）がモニタ２２に表示される（ステップＳ１１２）。
【００８９】
一方、外部メモリ１０２内に画像ファイルが記録されている場合には（ステップＳ１１０のＹｅｓ）、最新の画像（最後に撮像又は更新された画像）がどのフォルダにあるかが判定される（ステップＳ１１４）。最新の画像がルートフォルダ以外のフォルダにある場合には（ステップＳ１１４のＮｏ）、最新の画像が記録されているフォルダ（以下、選択フォルダという）内の画像がモニタ２２にスライドショウ表示される（ステップＳ１１６）。ステップＳ１１６では、例えば、選択フォルダ内の最新の画像を始点にして新しい画像から順にスライドショウ表示される。一方、最新の画像がルートフォルダにある場合には（ステップＳ１１４のＹｅｓ）、当該最新の画像がモニタ２２に表示される（ステップＳ１１８）。
【００９０】
図１４は、画像の再生時における撮像装置１０の処理を詳細に示すフローチャートである。撮像装置１０の動作モードが再生モードに設定されると、外部メモリ１０２内に画像ファイルが記録されているかどうか判定される（ステップＳ１２０）。外部メモリ１０２内に画像ファイルが記録されていない場合には（ステップＳ１２０のＮｏ）、画像がない旨を示すメッセージ（例えば、「画像がありません」）がモニタ２２に表示される（ステップＳ１２２）。
【００９１】
一方、外部メモリ１０２内に画像ファイルが記録されている場合には（ステップＳ１２０のＹｅｓ）、最新の画像（最後に撮像又は更新された画像）がどのフォルダにあるかが判定される（ステップＳ１２４）。最新の画像がルートフォルダ以外のフォルダにある場合には（ステップＳ１２４のＮｏ）、最新の画像が記録されているフォルダ（以下、選択フォルダという）内の画像がモニタ２２にスライドショウ表示される（ステップＳ１２６）。ステップＳ１２６では、例えば、選択フォルダ内の最新の画像を始点にして新しい画像から順にスライドショウ表示される。
【００９２】
スライドショウ表示中に、十字キー３０Ａの左ボタンの押下が検出され、「戻る」の指示が入力されると（ステップＳ１２８のＹｅｓ）、選択フォルダ内の画像よりも古い画像の中で最新の画像がどのフォルダにあるかが判定される（ステップＳ１３０）。選択フォルダ内の画像よりも古い画像の中で最新の画像がルートフォルダ以外のフォルダにある場合には（ステップＳ１３０のＮｏ）、当該フォルダ内の画像がモニタ２２にスライドショウ表示される（ステップＳ１３２）。一方、選択フォルダ内の画像よりも古い画像の中で最新の画像がルートフォルダにある場合には（ステップＳ１３０のＹｅｓ）、当該画像がモニタ２２に表示される（ステップＳ１４０）。
【００９３】
一方、最新の画像がルートフォルダにある場合には（ステップＳ１２４のＹｅｓ）、当該最新の画像がモニタ２２に表示される（ステップＳ１３２）。画像の表示中に、十字キー３０Ａの左ボタンの押下が検出され、「戻る」の指示が入力されると（ステップＳ１３６のＹｅｓ）、表示中の画像よりも古い画像の中で最新の画像がどのフォルダにあるかが判定される（ステップＳ１３８）。表示中の画像よりも古い画像の中で最新の画像がルートフォルダにある場合には（ステップＳ１３８のＹｅｓ）、当該画像がモニタ２２に表示される（ステップＳ１４０）。一方、表示中の画像よりも古い画像の中で最新の画像がルートフォルダ以外のフォルダにある場合には（ステップＳ１３８のＮｏ）、表示中の画像よりも古い画像の中で最新の画像が記録されているフォルダ内の画像がモニタ２２にスライドショウ表示される（ステップＳ１２６）。
【００９４】
図１５は、再生モード時における撮像装置１０の動作を模式的に示す図である。撮像装置１０の動作モードが再生モードに設定されると、最新の画像Ｐ１０を含むフォルダＦ１０内の画像が新しい順に画像Ｐ１０、Ｐ１２、Ｐ１４、Ｐ１０、Ｐ１２、…のように繰り返し表示（スライドショウ表示）される。なお、画像Ｐ１０の前後にフォルダ名を表示するためのタイトル画面Ｔ１０を表示するようにしてもよい。
【００９５】
次に、「戻る」指示が入力されると、フォルダＦ１０内の画像よりも古い画像の中で最新の画像Ｐ２０が表示される。なお、図１５に示す例では、画像Ｐ２０は、ルートフォルダ内の画像である。
【００９６】
次に、「戻る」指示が入力されると、画像Ｐ２０よりも古い画像の中で最新の画像Ｐ３０を含むフォルダＦ３０内の画像が新しい順に画像Ｐ３０、タイトル画面Ｔ３０、画像Ｐ３２、Ｐ３４、画像Ｐ３０、タイトル画面Ｔ３０、画像Ｐ３２、…のように繰り返し表示（スライドショウ表示）される。
【００９７】
次に、「戻る」指示が入力されると、フォルダＰ３０内の画像よりも古い画像の中で最新の画像Ｐ４０が表示される。なお、図１５に示す例では、画像Ｐ４０は、ルートフォルダ内の画像である。
【００９８】
次に、「戻る」指示が入力されると、画像Ｐ４０よりも古い画像の中で最新の画像Ｐ５０を含むフォルダＦ５０内の画像が新しい順に画像Ｐ５０、タイトル画面Ｔ５０、画像Ｐ５２、Ｐ５４、画像Ｐ５０、タイトル画面Ｔ５０、画像Ｐ５２、…のように繰り返し表示（スライドショウ表示）される。
【００９９】
次に、「戻る」指示が入力されると、フォルダＰ５０内の画像よりも古い画像の中で最新の画像Ｐ６０が表示される。なお、図１５に示す例では、画像Ｐ６０は、ルートフォルダ内の画像である。
【０１００】
一方、十字キー３０Ａの右ボタンの押下が検出され、「進む」指示が入力された場合には、表示中の画像又はフォルダ内の画像よりも新しい画像の中で最古の画像又は該画像を含むフォルダ内の画像が表示される。
【０１０１】
図１６は、マルチ画面表示を示している。マルチ画面表示ボタン２４が押下されると、図１６に示すマルチ画面表示に移行する。マルチ画面表示では、ルートフォルダ直下のフォルダ及び画像が一覧表示される。図１６では、左上に最新のフォルダＦ１０が表示され、右側の画像ほど古くなっている。各フォルダ（Ｆ１０、Ｆ３０、Ｆ６０）の表示領域は、画像ファイル（Ｐ２０、Ｐ４０、Ｐ６０）の表示領域と略同じサイズであり、各フォルダ内の画像がフォルダ名とともに一例で３枚ずつ縮小表示（サムネイル表示）される。
【０１０２】
本実施形態によれば、外部メモリ１０２内に記録した画像をスケジュール単位で閲覧する操作が容易になる。
【０１０３】
なお、本発明に係る撮像装置及び撮像制御方法は、例えば、カメラ機能及び表示機能を備えた装置（例えば、パーソナルコンピュータ、電子手帳、ＰＤＡ又は携帯電話）に上記の処理を実行するプログラムを適用することによっても実現可能である。
【図面の簡単な説明】
【０１０４】
【図１】本発明の一実施形態に係る撮像装置を示す外観図（上面図、背面図、側面図及び正面図）
【図２】本発明の一実施形態に係る撮像装置の内部構成を示すブロック図
【図３】スケジュール情報を入力するためのスケジュール入力画面
【図４】スケジュール情報の表示画面
【図５】スケジュール情報の登録時における撮像装置１０の処理を示すフローチャート
【図６】外部メモリ１０２内のフォルダツリー構造を示す図
【図７】アラームの設定鳴動時間における撮像装置１０の処理を示すフローチャート
【図８】移動開始時刻における撮像装置１０の処理を示すフローチャート
【図９】移動開始時刻におけるモニタ２２の表示
【図１０】予定日時になった場合の撮像装置１０の処理を示すフローチャート
【図１１】予定日時におけるモニタ２２の表示
【図１２】画像の撮像時における撮像装置１０の処理を示すフローチャート
【図１３】画像の再生時における撮像装置１０の処理を示すフローチャート
【図１４】画像の再生時における撮像装置１０の処理を詳細に示すフローチャート
【図１５】再生モード時における撮像装置１０の動作を模式的に示す図
【図１６】マルチ画面表示
【符号の説明】
【０１０５】
１０…撮像装置、１２…電源スイッチ、１４…レリーズスイッチ、１６…ファインダ、１８…動作モード切替スイッチ、２０…ズームスイッチ、２２…モニタ、２４…マルチ画面表示ボタン、２６…メニューボタン、２８…表示ボタン、３０…マルチファンクションスイッチ、３２…削除ボタン、３４…フラッシュ発光部、３６…ファインダ窓、３８…レンズ、５０…ＣＰＵ、５２…バス、５４…操作部、５６…光学系、５８…撮像素子（ＣＣＤ）、６０…ＣＤＳアナログデコーダ、６２…ホワイトバランスアンプ、６４…ガンマ補正処理部、６６…点順次化回路、６８…Ａ／Ｄ変換器、７０…ズームカム、７２…ズームモータ、７４…フォーカスエンコーダ、７６…ズームエンコーダ、７８…アイリスモータドライバ、８０…ＡＦモータドライバ、８２…内蔵時計、８４…電子ボリューム（ＥＶＲ）、８６…メモリコントローラ、８８…メインメモリ、９０…圧縮伸張処理部、９２…ＭＰＥＧエンコーダ＆デコーダ、９４…ＹＣ信号作成部、９６…色変換部、９８…ＮＴＳＣエンコーダ、１００…外部メモリインターフェース部（外部メモリＩ／Ｆ）、１０２…外部メモリ、１０４…通信インターフェース部（通信Ｉ／Ｆ）、１０６…外部機器、１０８…モニタドライバ、１１０…オーディオ入出力回路、１１２…スピーカ、１１４…マイク、１１６…スケジュール入力部、１２０…自然放電情報データベース（自然放電情報ＤＢ）、１２２…電圧−撮像可能枚数変換テーブル、１２４…電池、１２６…電池残量検出部
【図１】
2009077305.tif 000003
【図２】
2009077305.tif 000004
【図３】
2009077305.tif 000005
【図４】
2009077305.tif 000006
【図５】
2009077305.tif 000007
【図６】
2009077305.tif 000008
【図７】
2009077305.tif 000009
【図８】
2009077305.tif 000010
【図９】
2009077305.tif 000011
【図１０】
2009077305.tif 000012
【図１１】
2009077305.tif 000013
【図１２】
2009077305.tif 000014
【図１３】
2009077305.tif 000015
【図１４】
2009077305.tif 000016
【図１５】
2009077305.tif 000017
【図１６】
2009077305.tif 000018